(57)【要約】      （修正有）【課題】台座が熱膨張しても、蓋体を台座から容易に取り外すことができる収納容器を提供する。【解決手段】飲料缶１の上部に取付可能であって、物品を収納することができる収納容器１００は、上面中央部に景品などの収納物２を載置する載置部３３が形成され、上面外周部近くに第１の嵌着部３１が形成され、下部に飲料缶の上部に嵌合する第２の嵌着部が形成された台座３と、透明材料で形成され、第１の嵌着部に嵌合可能で嵌合状態で載置部を被覆する蓋体５と、を備え、台座は弾性変形可能な材料から形成され、台座の上面には第１の嵌着部と載置部との間に溝３２が形成されている。【選択図】図１
0003149535.tif 000002
【実用新案登録請求の範囲】
【請求項１】
上面中央部に景品などの収納物を載置する載置部が形成され、上面外周部近くに第１の嵌着部が形成され、下部に飲料缶の上部に嵌合する第２の嵌着部が形成された台座と、
透明材料で形成され、前記第１の嵌着部に嵌合可能で嵌合状態で前記載置部を被覆する蓋体と、を備え、
前記台座は弾性変形可能な材料から形成され、前記台座の上面には前記第１の嵌着部と前記載置部との間に溝が形成されていることを特徴とする収納容器。
【請求項２】
前記溝を前記台座の外縁に沿って環状に形成したことを特徴とする請求項１に記載の収納容器。
【請求項３】
前記載置部は、前記溝よりも内側において段状とされ、周囲よりも高く盛り上がっていることを特徴とする請求項１又は２に記載の収納容器。
【請求項４】
前記台座には、載置される収納物の向きを指し示すマークが設けられていることを特徴とする請求項１から３のいずれか一項に記載の収納容器。
【請求項５】
前記台座と前記蓋体とには、前記台座の前記第１の嵌着部に前記蓋体を嵌合させる際の位置決め部が設けられていることを特徴とする請求項１から４のいずれか一項に記載の収納容器。
【請求項６】
前記位置決め部は、
前記台座の外縁上端と前記蓋体の外縁下端のうち、一方に形成された凸部と、
他方に形成され、前記凸部に嵌合する凹部と、
を備えることを特徴とする請求項５に記載の収納容器。
【請求項７】
前記台座の前記第２の嵌着部と前記蓋体の上部とは互いに嵌合可能に構成されていることを特徴とする請求項１から６のいずれか一項に記載の収納容器。
【請求項８】
前記第２の嵌着部として、前記台座の下端面には開口が形成され、
前記蓋体の上面には、前記開口に嵌合する突起が形成されていることを特徴とする請求項７に記載の収納容器。
【考案の詳細な説明】
【技術分野】
【０００１】
本考案は、飲料缶の上部に取付可能であって、物品を収納することができる収納容器に関するものである。
【背景技術】
【０００２】
飲料の販売促進のため、飲料缶の上部に景品を取り付けた飲料が多数販売されている。景品は、樹脂製の収納容器に収納されており、収納容器が飲料缶の上部に着脱自在に嵌め込まれている（例えば、特許文献１〜５参照。）。
収納容器は、景品が載置される台座と、台座の上方から被せられ、台座に着脱自在な蓋体とを備えている。台座は樹脂で形成されており、蓋体は中身の景品を視認できるよう、透明な樹脂で形成されている。
【先行技術文献】
【特許文献】
【０００３】
【特許文献１】特開平１１−１５７５４３号公報
【特許文献２】特開２００３−２６７３８４号公報
【特許文献３】特開２００８−８７８２３号公報
【特許文献４】実用新案登録第３１２８１８５号公報
【特許文献５】実用新案登録第３１２９３１８号公報
【考案の概要】
【考案が解決しようとする課題】
【０００４】
ところで、主に冬に販売される飲料缶には、中身の飲料を温めた状態で味わうために加熱するものがある。この場合、加熱された飲料缶の熱が台座に伝わり、樹脂で形成されている台座は熱膨張する。一方、台座に嵌め込まれている蓋体は飲料缶に接触していないので、ほとんど熱膨張しない。
そのため、台座は、蓋体との嵌合部分を外側に押し広げようとする力が働くので、蓋体が台座から取り外しにくくなるという問題があった。
【０００５】
本考案は、かかる問題点を解決するためになされたものであり、台座が熱膨張しても蓋体を台座から容易に取り外すことができる収納容器を提供することを目的とする。
【課題を解決するための手段】
【０００６】
請求項１に記載の考案は、収納容器であって、
上面中央部に景品などの収納物を載置する載置部が形成され、上面外周部近くに第１の嵌着部が形成され、下部に飲料缶の上部に嵌合する第２の嵌着部が形成された台座と、
透明材料で形成され、前記第１の嵌着部に嵌合可能で嵌合状態で前記載置部を被覆する蓋体と、を備え、
前記台座は弾性変形可能な材料から形成され、前記台座の上面には前記第１の嵌着部と前記載置部との間に溝が形成されていることを特徴とする。
【０００７】
請求項２に記載の考案は、請求項１に記載の収納容器において、
前記溝を前記台座の外縁に沿って環状に形成したことを特徴とする。
【０００８】
請求項３に記載の考案は、請求項１又は２に記載の収納容器において、
前記載置部は、前記溝よりも内側において段状とされ、周囲よりも高く盛り上がっていることを特徴とする。
【０００９】
請求項４に記載の考案は、請求項１から３のいずれか一項に記載の収納容器において、
前記台座には、載置される収納物の向きを指し示すマークが設けられていることを特徴とする。
【００１０】
請求項５に記載の考案は、請求項１から４のいずれか一項に記載の収納容器において、
前記台座と前記蓋体とには、前記台座の前記第１の嵌着部に前記蓋体を嵌合させる際の位置決め部が設けられていることを特徴とする。
【００１１】
請求項６に記載の考案は、請求項５に記載の収納容器において、
前記位置決め部は、
前記台座の外縁上端と前記蓋体の外縁下端のうち、一方に形成された凸部と、
他方に形成され、前記凸部に嵌合する凹部と、
を備えることを特徴とする。
【００１２】
請求項７に記載の考案は、請求項１から６のいずれか一項に記載の収納容器において、
前記台座の前記第２の嵌着部と前記蓋体の上部とは互いに嵌合可能に構成されていることを特徴とする。
【００１３】
請求項８に記載の考案は、請求項７に記載の収納容器において、
前記第２の嵌着部として、前記台座の下端面には開口が形成され、
前記蓋体の上面には、前記開口に嵌合する突起が形成されていることを特徴とする。
【考案の効果】
【００１４】
請求項１に記載の考案によれば、台座は、第１の嵌着部で蓋体と嵌合して収納物を被覆することができ、第２の嵌着部で飲料缶と嵌合して飲料缶に台座を取り付けることができる。
ここで、台座には第１の嵌着部よりも内側に溝が形成されているので、台座が熱膨張しても蓋体を傾けることにより、台座と蓋体との嵌着部が弾性変形し、その変形は溝で吸収される。
これにより、台座が熱膨張しても蓋体を台座から容易に取り外すことができる。
【００１５】
請求項２に記載の考案によれば、溝を環状に形成することで、蓋体をどの方向に傾けても台座から容易に取り外すことができる。
【００１６】
請求項３に記載の考案によれば、載置部は、周囲よりも高く盛り上がっているので、収納される収納物の視認性を良くすることができる。
【００１７】
請求項４に記載の考案によれば、マークを設けることにより、収納物を収納する際の向きを容易に把握することができ、収納時の作業性を向上することができる。
【００１８】
請求項５に記載の考案によれば、位置決め部により、台座と蓋体とが嵌合する位置を決定することができるので、蓋体の表面に貼り付けられるシールや刻まれる文字等と収納物の向きを揃えることができる。
【００１９】
請求項６に記載の考案によれば、一方に形成された凸部を他方に形成された凹部に嵌め込むことにより、台座と蓋体とが嵌合する位置を決定することができる。また、凸部と凹部という極めて簡易な構成で位置決め部を構成することができる。
【００２０】
請求項７に記載の考案によれば、台座の第２の嵌着部と蓋体の上部とは互いに嵌合可能であることから、蓋体の上に台座を積み重ねることができる。
これにより、台座と蓋体を交互に積み重ねていくことができ、収納容器の保管の際に便利となる。
【００２１】
請求項８に記載の考案によれば、蓋体の上面に形成された突起を台座の開口に嵌合させることにより、台座と蓋体を交互に積み重ねていくことができる。
これにより、収納容器の保管の際に便利となる。
【図面の簡単な説明】
【００２２】
【図１】飲料缶の上部に装着された収納容器の斜視図。
【図２】収納容器の分解斜視図。
【図３】台座の平面図。
【図４】台座の下端側からの斜視図。
【図５】収納容器を積み重ねたときの斜視図。
【図６】図５におけるＶ−Ｖ断面図。
【考案を実施するための形態】
【００２３】
本考案に係る収納容器の実施形態を、図面を参照しながら説明する。
＜収納容器の構成＞
図１に示すように、収納容器１００は、飲料缶１の上部に着脱自在に取り付けられている。
収納容器１００には、その内部に飲料缶１を購入したときの景品２（収納物）が収納されている。
収納容器１００は、収納物が上面に載置され、下端が飲料缶１に着脱される台座３と、この台座３に着脱自在とされた蓋体５と、を備えている。
【００２４】
１．台座について
図１〜図４に示すように、台座３は、収納物としての景品２（図１においてはミニカー）が載置されている。台座３は、円筒状に形成され、その上面が遮蔽され、下面が開口されている。
台座３は、弾性変形可能な樹脂材料で形成され、台座３の外周縁で蓋体５と嵌着されるように形成されている。すなわち、蓋体５を台座３に嵌着させた際に台座３の外周面と蓋体５の外周面が同一平面となるように構成されている。
【００２５】
台座３の上面における外周部分は、他の部分よりも低くなるような切欠部３１が形成されており、この切欠部３１に蓋体５が嵌り込むように形成されている。すなわち、この切欠部３１が蓋体５と嵌合する第１の嵌着部となる。切欠部３１には、外側に突出する突起３１ａ（詳細は図６参照）が形成されており、突起３１ａが蓋体５を係止している。
台座３の上面には、切欠部３１よりも内側に環状の溝３２が形成されている。溝３２は、台座３の外周縁に近い位置で、その外周縁に沿って形成されている。すなわち、切欠部３１と溝３２は、一つの壁体を挟んで表裏に存在するように形成されている。ここで、台座３は、弾性変形可能な樹脂材料で形成されているため、切欠部３１を内側に押圧すると、切欠部３１は、溝３２側に弾性変形することができる。
台座３の上面中央部には、環状の溝３２よりも内側において上方に高く盛り上がるように段状に形成された載置部３３が形成されている。載置部３３は、景品２を着脱自在に取り付けるステージとして機能する。
【００２６】
図２、図３に示すように、載置部３３には、景品２を固定する取付部３４が設けられている。取付部３４は、鉤状に形成され、載置部３３の中央で対向するように二つ配置されている。取付部３４は、景品２に形成された孔に挿入して係止することにより、景品２を載置部３３に固定することができる。
台座３の外周縁の上面には、台座３の上面とほぼ同じ高さまで突出する凸部３５が少なくとも一カ所に形成されている。凸部３５は、蓋体５に形成された凹部５２に嵌合するように構成されている。凸部３５と凹部５２とによって蓋体５は台座３の切欠部３１に対して所定の向きで嵌着させることができ、位置決め部として機能する。
【００２７】
図２、図３に示すように、台座３の載置部３３には、台座３に載置される景品２の向きを示すマーク３６が設けられている。すなわち、マーク３６を見ることにより、収納容器１００の向きを知ることができるので、その向きに合わせて景品２を取付部３４に固定することができる。なお、マーク３６は、載置部３３と一体的に形成するものでも良いし、載置部３３に貼り付けられたシールであっても良い。
図４に示すように、台座３の下端面には、第２の嵌着部として開口３７が形成されている。開口３７は、飲料缶１の上部の外径よりの若干大きくなるように形成され、開口３７に飲料缶１を嵌め込むことで、台座３は飲料缶１に装着される。開口３７には、その内周面に沿って環状に形成された突起３８が形成されている。この突起３８は、飲料缶１の上部に引っ掛けることにより、台座３が飲料缶１から落下、離脱することを防止するものである。
【００２８】
２．蓋体について
図１、図２に示すように、蓋体５は、台座３に着脱自在に設けられている。蓋体５は、透明な樹脂材料で形成されている。蓋体５は、底部（下端）が開口した円筒状に形成されている。蓋体５は、その外径が台座３の外径と同一となるように形成されている。
図６に示すように、蓋体５の内周面の下端近傍には、台座３の突起３１ａに係合して蓋体５を台座３の切欠部３１に嵌着させる突起５１が形成されている。突起５１は、台座３の中心に向けて突出するように形成され、蓋体５の内周面に沿って環状に形成されている。
【００２９】
蓋体５の下端部には、台座３に形成された凸部３５に嵌合する凹部５２が形成されている。凹部５２は、台座３に蓋体５を嵌着する際に凸部３５に対応する位置に凸部３５と同じ間隔で同じ数だけ形成される。
蓋体５の上端部には、上方に突出し、台座３の開口３７に嵌合する突起５３が設けられている。突起５３は、平面視環状に形成された突条部であり、突起５３の外周面が蓋体５の開口３７の内周面に摺接する。言い換えると、突起５３の外径は、飲料缶１の外径と同径となるように形成されている。
よって、蓋体５は、その下端を台座３の上に嵌着させることができると共に、その上端を台座３の下に嵌合することができる。
【００３０】
＜収納容器の着脱動作＞
次に、収納容器１００の着脱動作について説明する。
台座３の取付部３４に景品２を取り付け、蓋体５の凹部５２を台座３の凸部３５に合わせるようにして蓋体５の下端を台座３の切欠部３１に嵌着する。
このとき、台座３の突起３１ａと蓋体５の突起５１とが係合することで蓋体５は台座３に係合し、台座３からの離脱を防止する。これにより、景品２は、収納容器１００内に収納される。
一方、収納容器１００を飲料缶１に装着する際には、台座３の開口３７に飲料缶１を嵌め込む。
以上の操作により、景品２を収納容器１００に収納して飲料缶１に取り付けることができる。
次に、ホット用の飲料缶１に収納容器１００が設けられている場合において、収納容器１００の中の景品２を取り出す場合には、蓋体５を把持し、蓋体５を溝３２に交差する方向に傾ける。
すると、切欠部３１の壁面は溝３２に向けて弾性変形し、溝３２の幅の縮小により切欠部３１の壁面の変形を許容する。よって、飲料缶１の熱によって台座３が熱膨張していても、切欠部３１の壁面の溝３２側への変形により蓋体５と台座３との間に隙間が形成され、台座３から蓋体５を容易に取り外すことができるようになる。
【００３１】
＜作用効果＞
このように、収納容器１００によれば、台座３は、切欠部３１で蓋体５と嵌合して景品２を被覆することができ、開口３７で飲料缶１と嵌合して飲料缶１に台座３を取り付けることができる。
ここで、台座３には、切欠部３１よりも内側に溝３２が形成されているので、台座３が熱膨張しても蓋体５を傾けることにより、切欠部３１の壁面が弾性変形し、その変形は溝３２で吸収される。
これにより、台座３が熱膨張しても蓋体５を台座３から容易に取り外すことができる。
また、溝３２を環状に形成することで、蓋体５をどの方向に傾けても台座３から容易に取り外すことができる。
また、載置部３３を設けることにより、収納される景品２を周囲よりも高い位置に配置することができ、景品２の視認性を良くすることができる。
また、台座３にマーク３６を設けることにより、景品２を収納する際の向きを容易に把握することができ、収納時の作業性を向上することができる。
また、台座３に形成された凸部３５に蓋体５に形成された凹部５２を嵌め込むことにより、台座３と蓋体５とが嵌合する位置を決定することができる。これにより、台座３と蓋体５とが嵌合する位置を決定することができるので、蓋体５の表面に貼り付けられるシールや刻まれる文字等と景品２の向きを揃えることができる。
また、蓋体５の上面に形成された突起５３を台座３の開口３７に嵌合させることにより、台座３と蓋体５を交互に積み重ねていくことができる。これにより、収納容器１００の保管の際に便利となる。
【００３２】
＜その他＞
以上、本考案の実施形態について説明したが、本考案は、かかる実施形態には限定されず、その本質的部分を変更しない範囲で設計変更が可能である。
例えば、凸部を蓋体に形成し、凹部を台座に形成しても良い。また、台座と蓋体との嵌合構造は、上記実施形態に限られるものではなく、突起等の形状は自由に変更可能である。
また、蓋体の上面に形成されている突起は、環状に形成された突条部に限らず、所定間隔を空けて形成された複数の突起であっても良い。
【符号の説明】
【００３３】
１  飲料缶
２  景品（収納物）
３  台座
５  蓋体
３１  （第１の嵌着部）
３２  溝
３３  載置部
３５  凸部（位置決め部）
３６  マーク
３７  開口（第２の嵌着部）
５２  凹部（位置決め部）
５３  突起
【図１】
0003149535.tif 000003
【図２】
0003149535.tif 000004
【図３】
0003149535.tif 000005
【図４】
0003149535.tif 000006
【図５】
0003149535.tif 000007
【図６】
0003149535.tif 000008